(57)【特許請求の範囲】
【請求項１】
各部に必要な静電圧を提供する電源部；
前記電源部で供給される電圧によってゲートオン／オフ電圧を生成し出力するゲート電圧発生部；
駆動データと駆動制御信号を入力されてスキャン制御信号，コラム制御信号を生成し，Ｒ，Ｇ，Ｂデータのタイミングフォーマットを制御し出力し，階調表現のための複数値を持つデジタルガンマデータを前記電源部から提供される静電圧を参照して生成し出力するコントローラ；
前記スキャン制御信号と前記ゲートオン／オフ電圧を入力されてスキャン信号を出力するスキャンドライブ手段；
前記コントローラから伝送される前記デジタルガンマデータを受信して、前記デジタルガンマデータをアナログ階調電圧に変換させ，前記コラム制御信号，前記Ｒ，Ｇ，Ｂデータ及び前記アナログ階調電圧を用いてコラム信号を出力するコラムドライブ手段；及び
前記スキャン信号と前記コラム信号を利用して所定画像を表現する平板パネルとを備えることを特徴とする平板ディスプレイ装置。
【請求項２】
前記コントローラは，複数ビットのＲ，Ｇ，Ｂデータと複数ビットのガンマデータを互いに異なる転送配線を通じて前記コラムドライブ手段に転送するように構成されることを特徴とする請求項１に記載の平板ディスプレイ装置。
【請求項３】
前記コラムドライブ手段は，複数のコラムドライブ集積回路からなり，各コラムドライブ集積回路は，
前記ガンマデータを格納する第１メモリ；
前記メモリに格納されたガンマデータをデコーディングする第１デコーダ；
前記デコーディングしたガンマデータを該当値に対応されるアナログ階調電圧に変形し出力する第１デジタル／アナログコンバータ；
コラムラインに対応して順次に出力をシフトさせる第１シフトレジスタ；
前記第１シフトレジスタの出力に連動してＲ，Ｇ，Ｂデータのうちの該当容量のデータをコラムライン別に対応して格納する第１データラッチ；
前記第１データラッチで提供されるデータ値に該当する階調電圧を選択し出力する第２デジタル／アナログコンバータ；及び，
前記第２デジタル／アナログコンバータで出力される階調電圧をバッファリングした後，ライン単位でコラム信号として出力する第１バッファを備えることを特徴とする請求項１に記載の平板ディスプレイ装置。
【請求項４】
前記コントローラは，
駆動データと駆動制御信号を入力されてＲ，Ｇ，Ｂデータのタイミングフォーマットを制御し出力し，スキャン制御信号とコラム制御信号を生成し出力する信号処理部；
前記電源部から提供される静電圧を参照して，階調表現のための複数のデータを生成してガンマデータに出力するガンマデータ生成部；及び
前記Ｒ，Ｇ，Ｂデータのブランキング区間に前記ガンマデータを混合して出力する混合部を備えることで，Ｒ，Ｇ，Ｂデータとガンマデータが同一配線を通じて転送されるように構成されることを特徴とする請求項１に記載の平板ディスプレイ装置。
【請求項５】
前記コラムドライブ手段は，複数のコラムドライブ集積回路からなり，各コラムドライブ集積回路は，
前記Ｒ，Ｇ，Ｂデータと前記ガンマデータを分割するデータ分割部；
前記分割部で分割された前記ガンマデータを格納する第２メモリ；
前記第２メモリのガンマデータをデコーディングする第２デコーダ；
前記デコーディングしたガンマデータを該当値に対応されるアナログ階調電圧に変形し出力する第３デジタル／アナログコンバータ；
コラムラインに対応して順次に出力をシフトさせる第２シフトレジスタ；
前記第２シフトレジスタの出力に連動してＲ，Ｇ，Ｂデータのうちの該当容量のデータをコラムライン別に対応して格納する第２データラッチ；
前記第２データラッチで提供されるデータ値に該当する階調電圧を選択し出力する第４デジタル／アナログコンバータ；及び，
前記第４デジタル／アナログコンバータで出力される階調電圧をバッファリングした後，ライン単位でコラム信号として出力する第２バッファを備えることを特徴とする請求項４に記載の平板ディスプレイ装置。
【請求項６】
各部に必要な静電圧を提供する電源部；
前記電源部で供給される電圧によってゲートオン／オフ電圧を生成し出力するゲート電圧発生部；
駆動データと駆動制御信号を入力されてスキャン制御信号，コラム制御信号を生成し，Ｒ，Ｇ，Ｂデータのタイミングフォーマットを制御し生成し，前記電源部から提供される静電圧を基準にして階調表現のための複数値を持つデジタルガンマデータを生成し，前記スキャン制御信号，コラム制御信号，Ｒ，Ｇ，Ｂデータ及びデジタルガンマデータを差動信号にエンコーディングして出力するコントローラ；
前記差動信号に含まれたスキャン制御信号をデコーディングし，前記スキャン制御信号と前記ゲートオン／オフ電圧を入力されてスキャン信号を出力するスキャンドライブ手段；
前記差動信号に含まれた前記コラム制御信号，Ｒ，Ｇ，Ｂデータ及びコラムデータをデコーディングし，前記デジタルガンマデータをアナログ階調電圧に変換させ，前記コラム制御信号，前記Ｒ，Ｇ，Ｂデータ及び前記アナログ階調電圧を用いてコラム信号を出力するコラムドライブ手段；及び，
前記スキャン信号と前記コラム信号を利用して所定画像を表現する平板パネルを備えることを特徴とする平板ディスプレイ装置。
【請求項７】
前記コントローラは，
駆動データと駆動制御信号を入力されてＲ，Ｇ，Ｂデータのタイミングフォーマットを制御し出力し，スキャン制御信号とコラム制御信号を生成し出力する第１信号処理部；
前記電源部から提供される静電圧を参照して，階調表現のための複数のデータを生成してガンマデータに出力するガンマデータ生成部；及び，
前記スキャン制御信号，コラム制御信号，前記Ｒ，Ｇ，Ｂデータ及びガンマデータを差動信号にエンコーディングして転送する差動信号送信手段を備えることを特徴とする請求項６に記載の平板ディスプレイ装置。
【請求項８】
前記コラムドライブ手段は，複数のコラムドライブ集積回路からなり，各コラムドライブ集積回路は，
前記差動信号をデコーディングする差動信号受信手段；
前記デコーディングした前記コラム制御信号，前記Ｒ，Ｇ，Ｂデータ及び前記ガンマデータを格納するメモリ；
前記メモリに格納されたガンマデータをデコーディングするデコーダ；
前記デコーディングしたガンマデータ値に対応されるアナログ階調電圧に変形し出力する第１デジタル／アナログコンバータ；
コラムラインに対応して順次に出力をシフトさせるシフトレジスタ；
前記シフトレジスタの出力に連動して前記メモリから出力されるＲ，Ｇ，Ｂデータのうちの該当容量のデータをコラムライン別に対応して格納するデータラッチ；
前記データラッチで提供されるデータ値に該当する階調電圧を選択し出力する第２デジタル／アナログコンバータ；及び，
前記第２デジタル／アナログコンバータで出力される階調電圧をバッファリングした後，ライン単位でコラム信号として出力する第１バッファを備えることを特徴とする請求項７に記載の平板ディスプレイ装置。
【請求項９】
前記差動信号はスイング減殺型差動信号であること特徴とする請求項６または７または８の何れかに記載の平板ディスプレイ装置。
【請求項１０】
前記差動信号は低電圧差動信号であることを特徴とする請求項６または７または８の何れかに記載の平板ディスプレイ装置。
【請求項１１】
前記差動信号は変移最小差動信号であることを特徴とする請求項６または７または８の何れかに記載の平板ディスプレイ装置。
【発明の詳細な説明】
【技術分野】
【０００１】  本発明は 平板ディスプレイ装置に係り，特に階調表現のための値をデータ化してコラムドライブ集積回路に転送し，コラムドライブ集積回路はガンマデータをアナログ化した後，その値をＲ，Ｇ，Ｂデータと対応してコラム信号を選択するように具現した平板ディスプレイ装置に関する。
【背景技術】
【０００２】  最近，液晶技術またはプラズマディスプレイ技術を利用した平板ディスプレイ装置の開発が盛んに進められており，それにより，平板パネルを利用した液晶表示装置またはプラズマディスプレイ装置のような平板ディスプレイ装置がコンピュータまたはテレビ等の様な製品に適用されて市販されつつある。【０００３】  特に，液晶の電気的・光学的特性を利用して画像を表現する液晶表示装置は，高解像度を持ちながらしだいに大画面が具現できるように開発されて来ている。液晶表示装置は，画像がディスプレイされる平板パネルである液晶パネルと，ここに接続されるコントロールボードと，光学モジュールとがフレームに組立されたディスプレイモジュールがケース内に実装された構成を持つ。【０００４】  通常，ディスプレイモジュールに実装される回路は，コントローラ，電源部，ゲート電圧発生部，階調電圧発生部，コラムドライブ集積回路及びスキャンドライブ集積回路からなる。最近，大画面で開発されながら電磁波障害問題，転送媒体を通したノイズ問題，及びデータ転送数の制約による高解像度問題を解決する方向に技術が開発されている。【０００５】  特に，データ転送時，電磁波障害解決，高速データ送信具現及び低消費電力などを追求するために，データを含んだ画像信号を差動信号に転送する方法が提示されており，具体的に，低電圧差動信号（Ｌｏｗ  Ｖｏｌｔａｇｅ  Ｄｉｆｆｅｒｅｎｔｉａｌ  Ｓｉｇｎａｌｉｎｇ：以下，“ＬＶＤＳ”という）方式，スイング減殺型差動信号（Ｒｅｄｕｃｅｄ  Ｓｗｉｎｇ  Ｄｉｆｆｅｒｅｎｔｉａｌ  Ｓｉｇｎａｌｉｎｇ：以下，“ＲＳＤＳ”という）方式または変移最小差動信号（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ：以下，“ＴＭＤＳ”という）等に転送する技術が開示されたことがあり，これに対する研究が続けられている。【０００６】  しかしながら，上述した技術の開発にもかかわらず，ディスプレイモジュールにおいて，コントロールボードとコラムドライブとの間には多くの配線が連結され，具体的に，これら配線はＲ，Ｇ，Ｂデータ，階調電圧，コラム制御信号及びスキャン制御信号を転送する役割を果たす。【０００７】  このとき，Ｒ，Ｇ，Ｂデータは，各カラー別に６ビットで具現される場合に１８ビットのカラーデータが転送され，これのためにＴＴＬ方式にてデータの転送が行われる場合にコラムドライブ集積回路に１８ラインの配線が形成されることになり，その他にコラムまたはスキャン制御信号を転送するための配線が付加される。また，コラム信号を階調別に表現するために，カラーデータが６ビットで具現される場合に６４階調表現のための階調電圧がコラムドライブ集積回路に提供されることになり，両極性を勘案すれば，１２８階調表現のための階調電圧をコラムドライブ集積回路に提供するための配線が階調電圧発生部からコラムドライブ集積回路間に形成されることになる。【０００８】  したがって，上述したように，データ転送のための配線は，データ転送方式をＴＴＬ方式から上述の差動信号方式に変換すれば，相当数低減できる。しかし，階調電圧のために構成される配線を低減する方法がなく，コントロールボードの実装面積���最小化するのに効果が得られず，このために多層印刷回路基板等で解決しているが，製造単価が上昇する要因になっている。【０００９】  また，階調電圧は階調発生部から各コラムドライブ集積回路に印加される過程における配線抵抗の影響のため，画面を形成する時に正確な階調値を得にくいという問題点があり，これを補償するための回路が付加的に要求される等技術的に難しい問題点がある。
【発明が解決しようとする課題】
【００１０】  本発明は，このような問題点に鑑みてなされたもので，その目的とするところは，階調電圧をコントローラで生成されたガンマデータとしてコラムドライブ集積回路に転送し，コラム信号を出力するように構成することで，転送線路の数を激減し，それにより，コントロールボードの構成が容易でありながら作製単価を軽減させることのできる平板ディスプレイ装置を提供することである。
【００１１】  本発明の他の目的は，遠距離転送でも正確な画像表現，低電力消耗，高速データ転送及び電磁波障害遮断に有利な平板ディスプレイ装置を提供することである。
【課題を解決するための手段】
【００１２】
【００１３】  前述した課題を達成するために本発明は，各部に必要な静電圧を提供する電源部；電源部で供給される電圧によってゲートオン／オフ電圧を生成し出力するゲート電圧発生部；駆動データと駆動制御信号を入力されてスキャン制御信号，コラム制御信号を生成し，Ｒ，Ｇ，Ｂデータのタイミングフォーマットを制御し出力し，階調表現のための複数値を持つガンマデータを生成し出力するコントローラ；スキャン制御信号と前記ゲートオン／オフ電圧を入力されてスキャン信号を出力するスキャンドライブ手段；ガンマデータをアナログ階調電圧に変換させ，コラム制御信号，Ｒ，Ｇ，Ｂデータ及び階調電圧を入力されてコラム信号を出力するコラムドライブ手段；及びスキャン信号とコラム信号を利用して所定画像を表現する平板パネルとを備えることを特徴とする平板ディスプレイ装置である。
【００１４】  ここでコントローラは，複数ビットのＲ，Ｇ，Ｂデータと複数ビットのガンマデータを互いに異なる転送配線を通じてコラムドライブ手段に転送するように構成される。
【００１５】  また，コラムドライブ手段は，複数のコラムドライブ集積回路からなり，各コラムドライブ集積回路は，ガンマデータを格納する第１メモリ；メモリに格納されたガンマデータをデコーディングする第１デコーダ；デコーディングしたガンマデータを該当値に対応されるアナログ階調電圧に変形し出力する第１デジタル／アナログコンバータ；コラムラインに対応して順次に出力をシフトさせる第１シフトレジスト；第１シフトレジストの出力に連動してＲ，Ｇ，Ｂデータのうちの該当容量のデータをコラムライン別に対応して格納する第１データラッチ；第１データラッチで提供されるデータ値に該当する階調電圧を選択し出力する第２デジタル／アナログコンバータ；及び，第２デジアナコンバータで出力される階調電圧をバッファリングした後，ライン単位でコラム信号として出力する第１バッファを備える。
【００１６】  なお，コントローラは，駆動データと駆動制御信号を入力されてＲ，Ｇ，Ｂデータのタイミングフォーマットを制御し出力し，スキャン制御信号とコラム制御信号を生成し出力する信号処理部；電源部から提供される静電圧を参照して，階調表現のための複数のデータを生成してガンマデータに出力するガンマデータ生成部；及びＲ，Ｇ，Ｂデータのブランキング区間にガンマデータを混合して出力する混合部を備えることで，Ｒ，Ｇ，Ｂデータとガンマデータが同一配線を通じて転送されるように構成される。
【００１７】  また，コラムドライブ手段は，複数のコラムドライブ集積回路からなり，各コラムドライブ集積回路は，Ｒ，Ｇ，Ｂデータと前記ガンマデータを分割するデータ分割部；分割部で分割された前記ガンマデータを格納する第２メモリ；第２メモリのガンマデータをデコーディングする第２デコーダ；デコーディングしたガンマデータを該当値に対応されるアナログ階調電圧に変形し出力する第３デジタル／アナログコンバータ；コラムラインに対応して順次に出力をシフトさせる第２シフトレジスト；第２シフトレジストの出力に連動してＲ，Ｇ，Ｂデータのうちの該当容量のデータをコラムライン別に対応して格納する第２データラッチ；第２データラッチで提供されるデータ値に該当する階調電圧を選択し出力する第４デジタル／アナログコンバータ；及び，第４デジアナコンバータで出力される階調電圧をバッファリングした後，ライン単位でコラム信号として出力する第２バッファを備えるのが好ましい。
【００１８】  また，本発明は，各部に必要な静電圧を提供する電源部；電源部で供給される電圧によってゲートオン／オフ電圧を生成し出力するゲート電圧発生部；駆動データと駆動制御信号を入力されてスキャン制御信号，コラム制御信号を生成し，Ｒ，Ｇ，Ｂデータのタイミングフォーマットを制御し生成し，電源部から提供される静電圧を基準にして階調表現のための複数値を持つガンマデータを生成し，スキャン制御信号，コラム制御信号，Ｒ，Ｇ，Ｂデータ及びガンマデータを差動信号にエンコーディングして出力するコントローラ；差動信号に含まれたスキャン制御信号をデコーディングし，スキャン制御信号とゲートオン／オフ電圧を入力されてスキャン信号を出力するスキャンドライブ手段；差動信号に含まれたコラム制御信号，Ｒ，Ｇ，Ｂデータ及びコラムデータをデコーディングし，ガンマデータをアナログ階調電圧に変換させ，コラム制御信号，Ｒ，Ｇ，Ｂデータ及び階調電圧を入力されてコラム信号を出力するスキャンドライブ手段；及び，スキャン信号とコラム信号を利用して所定画像を表現する平板パネルを備えることを特徴とする平板ディスプレイ装置である。
【００１９】  ここでコントローラは，駆動データと駆動制御信号を入力されてＲ，Ｇ，Ｂデータのタイミングフォーマットを制御し出力し，スキャン制御信号とコラム制御信号を生成し出力する第１信号処理部；電源部から提供される静電圧を参照して，階調表現のための複数のデータを生成してガンマデータに出力するガンマデータ生成部；及び，スキャン制御信号，コラム制御信号，前記Ｒ，Ｇ，Ｂデータ及びガンマデータを差動信号にエンコーディングして転送する差動信号送信手段を備える。
【００２０】  また，コラムドライブ手段は，複数のコラムドライブ集積回路からなり，各コラムドライブ集積回路は，差動信号をデコーディングする差動信号受信手段；デコーディングしたコラム制御信号，Ｒ，Ｇ，Ｂデータ及びガンマデータを格納するメモリ；メモリに格納されたガンマデータをデコーディングするデコーダ；デコーディングしたガンマデータ値に対応されるアナログ階調電圧に変形し出力する第１デジタル／アナログコンバータ；
コラムラインに対応して順次に出力をシフトさせるシフトレジスト；シフトレジストの出力に連動してメモリから出力されるＲ，Ｇ，Ｂデータのうちの該当容量のデータをコラムライン別に対応して格納するデータラッチ；データラッチで提供されるデータ値に該当する階調電圧を選択し出力する第２デジタル／アナログコンバータ；及び，第２デジアナコンバータで出力される階調電圧をバッファリングした後，ライン単位でコラム信号として出力する第１バッファを備える。
【００２１】  この差動信号は，スイング減殺型差動信号，または，低電圧差動信号であってもよく，変移最小差動信号であってもよい。
【発明を実施するための形態】
【００２２】  以下，図面に基づいて，本発明の好適実施例を詳細に説明する。
本発明による実施例は，平板パネルとして液晶パネルが構成される液晶表示装置に適用した例として開示され，Ｒ，Ｇ，Ｂデータが各カラー別に６ビットに表現される例を勘案し，それによってガンマデータは６４階調を表現するための値を持つ。
【００２３】  すなわち，ガンマデータは最低輝度表現のための階調データが（００００００）２であれば，最高輝度表現のための階調データは（１１１１１１）２である。
【００２４】  実施例において，スキャン信号とコラム信号が印加されて所定画面が表現される液晶パネル１０には，縦方向に複数のスキャンドライブ集積回路１２と他の複数のコラムドライブ集積回路１４が構成され，スキャンドライブ集積回路１２とコラムドライブ集積回路１４の構成数は液晶パネル１０の大きさと解像度によって決定される。ここで，スキャンドライブ集積回路１２は液晶パネル１０にスキャン信号を提供するように構成され，コラムドライブ集積回路１４は液晶パネル１０にコラム信号を提供するように構成され，液晶パネル１０は各画素別薄膜トランジスタ（図示せず）のゲートにスキャン信号が印加され，ソースにコラム信号が印加されて動作される。
【００２５】  そして，静電圧を持つ駆動電源が電源部１６に供給され，電源部１６はゲート電圧発生部１８とコントローラ２０に互いに違うレベルの直流電圧を生成して  各々供給するように構成される。
【００２６】  ゲート電圧発生部１８は，直流電圧を利用してゲートオン／オフ電圧を生成してスキャンドライブ集積回路１２に提供するように構成され，コントローラ２０は駆動データと駆動制御信号としてデータのタイミングフォーマットを制御しながらスキャン制御信号とコラム制御信号を生成し，これと同時に，電源部で提供される基準電圧を利用してガンマデータを生成するように構成される。コントローラ２０はスキャン制御信号をスキャンドライブ集積回路１２に印加し，データ，コラム制御信号及びガンマデータをコラムドライブ集積回路１４に印加するように構成される。
【００２７】  上述したように，コントローラ２０でデータ，コラム制御信号及びガンマデータを転送する方法により，コントローラ２０とコラムドライブ集積回路１４の構成が図２及び図３のような第１実施例，図４及び図５のような第２実施例，及び図７及び図８のような第３実施例に区分される。
【００２８】  第１実施例はＴＴＬ方式にてＲ，Ｇ，Ｂデータとガンマデータが別途の転送配線を通じて転送される場合の例であり，第２実施例はＴＴＬ方式にてＲ，Ｇ，Ｂデータが転送され，ガンマデータはこれらＲ，Ｇ，Ｂデータのブランキング区間に混合されて転送される場合の例であり，第３実施例は差動信号転送方式の一例としてＲＳＤＳ方式にてＲ，Ｇ，Ｂデータとガンマデータが転送される場合の例である。
【００２９】  まず，第１実施例のためにコントローラ２０は図２のような構成を持つ。
コントローラ２０は信号処理部２１とガンマデータ生成部２２を備え，信号処理部２１は駆動データと駆動制御信号が入力され，駆動データのタイミングフォーマットを制御してＲ，Ｇ，Ｂデータに出力し，これと同時に，スキャン制御信号とコラム制御信号を生成して出力するように構成され，ガンマデータ生成部２２は電源部１６から印加される基準電圧を参照して，複数の階調を各々表現するための各階調別デジタル化したガンマデータを生成して出力する。このとき，基準電圧のレベルによってガンマデータのスケールが変更される。
【００３０】  Ｒ，Ｇ，Ｂデータが各々６ビットであるので，ガンマデータは６４階調表現のために６ビットに出力され，このとき，ガンマデータは（００００００）２，（０００００１）２…（１１１１１１）２のようなデジタルデータ化した値を持つ。これら各データは階調電圧のレベルを決定するための値である。
【００３１】  上述したように，第１実施例の構成によるコントローラ２０で出力されるコラム制御信号，Ｒ，Ｇ，Ｂデータ及びガンマデータは図３のコラムドライブ集積回路１４に入力され，このとき，コラム制御信号はシフトレジスト制御信号Ｃ１，データラッチ制御信号Ｃ２，デジタル／アナログ（Ｄｉｇｉｔａｌ／Ａｎａｌｏｇ，以下“Ｄ／Ａ”という）コンバータ制御信号Ｃ３及びバッファ制御信号Ｃ４を含む。ここで，R，G，Bデータとガンマデータはｎビットとｍビット（n，mは任意の自然数，実施例では，nは１８，mは６）に各々別途のＴＴＬ方式信号転送配線を通じてコラムドライブ集積回路１４に入力される。
【００３２】  コラムドライブ集積回路１４は，シフトレジスタ２４，データラッチ２６，Ｄ／Ａコンバータ２８及びバッファ３０を備え，シフトレジスタ２４は制御信号Ｃ１によって出力がシフトされ，シフトレジスタ２４の出力がシフトされる順序によってコントロール２０で転送されるｎビットのR，G，Bデータがデータラッチ２６をなす各ラッチ（図示せず）別に各々順次格納され，これらラッチされたデータは制御信号Ｃ２によってＤ／Ａコンバータ２８に出力され，制御信号Ｃ３によってD／Ａコンバータ２８はＲ，Ｇ，Ｂデータの各画素値に対応される階調電圧を選択してバッファ３０に出力する。バッファ３０は制御信号Ｃ４によってバッファリングされた信号をコラム信号に同時出力する。
【００３３】  ここで，ガンマデータはメモリ３２に臨時格納された後，ｍビットラインを通じてデコーダ３３に出力されてデコーディングされ，デコーディングされたガンマデータはＤ／Ａコンバータ３４に出力され，Ｄ／Ａコンバータ３４はガンマデータの値に該当する電位を持つ階調電圧を同じライン数でＤ／Ａコンバータ２８に出力するように構成される。
【００３４】  したがって，第１実施例は，コントローラ２０から転送されるＲ，Ｇ，Ｂデータ，ガンマデータ及びコラム制御信号としてコラム信号がコラムドライブ集積回路１４で発生されて液晶パネル１０に提供される。
【００３５】  このとき，ガンマデータがコントローラ２０からコラムドライブ集積回路１４に転送されるために必要な配線数は，ｍビットのＴＴＬ方式にて転送するだけ必要であるので，実際にコントロールボード上に形成される配線数は非常に低減できる。
【００３６】  また，ガンマデータがコラムドライブ集積回路１４に転送され，コラムドライブ集積回路１４でガンマデータ値によって階調電圧が発生されてコラム信号発生に利用されるので，遠距離から転送される階調電圧を適用する場合に比べて液晶パネルに適用される階調値が正確になって高画質を具現できる。
【００３７】  一方，第２実施例は第１実施例と異なり，Ｒ，Ｇ，Ｂデータのブランキング区間にガンマデータを混合して転送することを具現したのである。
【００３８】  このために，コントローラ２０は図４のように信号処理部４０，ガンマデータ生成部４２及び混合部４４を備える。
【００３９】  ここで，信号処理部４０は駆動データと駆動制御信号が入力され，駆動データのタイミングフォーマットを制御してＲ，Ｇ，Ｂデータに出力し，これと同時に，スキャン制御信号とコラム制御信号を生成して出力するように構成される。
【００４０】  そして，ガンマデータ生成部２２は電源部１６から印加される基準電圧を参照して，複数の階調を各々表現するための各階調別デジタル化したガンマデータを生成して出力する。
【００４１】  そして，混合部４４は信号処理部４０のＲ，Ｇ，Ｂデータとガンマデータ生成部２２のガンマデータを混合して出力するように構成される。このとき，ガンマデータは６４階調表現のために６ビットに出力され，混合部４４はＲ，Ｇ，Ｂデータのブランキング区間にガンマデータを混合してコラムドライブ集積回路１４に出力する。
【００４２】  具体的に，液晶パネル１０で面像を表現するためのＲ，Ｇ，Ｂデータはスキャンライン順に直列で転送され，スキャンライン単位のＲ，Ｇ，Ｂデータ間には図６のようにブランキング区間が存在する。このとき，スキャンライン単位の区間が水平区間（１Ｈ）であれば，水平区間にはＲ，Ｇ，Ｂデータライン別に各カラーをスキャンライン単位別に具現するためのデータが存在するデータ領域と，データが存在しないブランキング領域とに区分されることができる。混合部４４はブランキング領域に図６のようにガンマデータ（γ）を混合させる。
【００４３】  そして，上述したガンマデータを含んだＲ，Ｇ，Ｂデータ，スキャン制御信号及びコラム制御信号は，ＴＴＬ方式にて該当ビット数に対応される配線を通じて転送される。
【００４４】  このような第２実施例の構成により，コントローラ２０で出力されるコラム制御信号，Ｒ，Ｇ，Ｂデータ及びガンマデータは図５のコラムドライブ集積回路１４に入力され，このとき，コラム制御信号はシフトレジスト制御信号Ｃ１，データラッチ制御信号Ｃ２，デジタル／アナログコンバータ制御信号Ｃ３及びバッファ制御信号Ｃ４を含む。
【００４５】  コラムドライブ集積回路１４はシフトレジスタ４６，データラッチ４８，Ｄ／Ａコンバータ５０及びバッファ５２を備え，これらの構成及び動作は第１実施例と同様なので，その説明を省略する。
【００４６】  そして，第２実施例のコラムドライブ集積回路１４にはデータ分割部５４，メモリ５６，デコーダ５７及びＤ／Ａコンバータ５８が構成され，データ分割部５４はＲ，Ｇ，Ｂデータとそのブランキング区間に混合されたガンマデータを分割して，ｎビットのＲ，Ｇ，Ｂデータはデータラッチ４８に入力し，分割されたガンマデータはメモリ５６に入力するように構成される。
【００４７】  そして，メモリ５６は入力されたｍビットのガンマデータをデコーダ５７に出力するように構成され，デコーダ５７はガンマデータをデコーディングしてＤ／Ａ コンバータ５８に出力するように構成される。Ｄ／Ａコンバータ５８は静電圧Ｖｒを基準にしてデジタル値を持つガンマデータ値に該当するアナログ階調電圧に変換させてＤ／Ａコンバータ５０に出力するように構成される。
【００４８】  したがって，第２実施例はコントローラ２０から転送されるＲ，Ｇ，Ｂデータ，ガンマデータ及びコラム制御信号としてコラム信号がコラムドライブ集積回路１４で発生されて液晶パネル１０に提供される。
【００４９】  このとき，ガンマデータがコントローラ２０からコラムドライブ集積回路１４にＲ，Ｇ，Ｂデータを転送する配線を利用して転送されるので，ガンマデータを転送するために配線が構成されることが不要になり，それによってコントロールボード上に形成される配線数は非常に低減できる。
【００５０】  また，第１実施例のように，第２実施例も遠距離から転送される階調電圧を適用する場合に比べて，液晶パネルに適用される階調値が正確になって高画質を具現できる。
【００５１】  一方，第３実施例は，コントローラ２０でＲ，Ｇ，Ｂデータ，ガンマデータ及び制御信号がＲＳＤＳ信号でエンコーディングされ転送され，コラムドライブ集積回路１４はＲＳＤＳ信号を受信し，これをデコーディングし，スキャン信号を出力するように構成される。第３実施例は差動信号の一例としてＲＳＤＳ方式が開示されているが，これは本明細書の技術的思想を理解した製作者の意図によってＬＶＤＳやＴＭＤＳ方式等で具現でき，このような具現は送信手段と受信手段を異にして採択することによって可能になる。
【００５２】  一方，第３実施例のコントローラ２０は図７のように信号処理部６０，ガンマデータ生成部６２及びＲＳＤＳ送信部６４を備える。
【００５３】  ここで，信号処理部６０は駆動データと駆動制御信号が入力され，駆動データのタイミングフォーマットを制御してＲ，Ｇ，Ｂデータに出力し，これと同時にスキャン制御信号とコラム制御信号を生成して出力するように構成される。そして，ガンマデータ生成部６２は電源部１６から印加される基準電圧を参照して，複数の階調を各々表現するための各階調別デジタル化したガンマデータを生成して出力する。信号処理部６０とガンマデータ生成部６２はＴＴＬ方式信号を出力するように構成される。
【００５４】  そして，ＲＳＤＳ送信部６４は，信号処理部６０のスキャン制御信号，コラム制御信号，Ｒ，Ｇ，Ｂデータ及びガンマデータ生成部６２のガンマデータを，ＲＳＤＳ方式にてエンコーディングしてＲＳＤＳ信号としてコラムドライブ集積回路１４に出力するように構成される。
【００５５】  ＲＳＤＳ送信部６４は，入力側にＴＴＬ信号がビット別に割り当てられた配線を通じてスキャン制御信号，コラム制御信号，Ｒ，Ｇ，Ｂデータ及びガンマデータが入力されるように端子が構成され，出力側に差動信号を転送するための一対の配線が一つの出力チャンネルをなしながら複数個のチャンネルを通じてＲＳＤＳ信号を出力するように構成される。このとき，入力ビット：出力チャンネルは多数：１（一例として７：１）程度の比で構成され，数十ビットの入力端子が数個のチャンネルで対応される。
【００５６】  そして，上述したスキャン制御信号，コラム制御信号，Ｒ，Ｇ，Ｂデータ及びガンマデータはＲＳＤＳ送信部６４で複数個のチャンネルを通じてＲＳＤＳ信号としてコラムドライブ集積回路１４に出力される。
【００５７】  このような第３実施例の構成により，コントローラ２０で出力されるコラム制御信号，Ｒ，Ｇ，Ｂデータ及びガンマデータを含むＲＳＤＳ信号は，図８のように構成されるコラムドライブ集積回路１４に入力される。
【００５８】  コラムドライブ集積回路１４は，シフトレジスタ６６，データラッチ６８，Ｄ／Ａコンバータ７０及びバッファ７２を備え，これらの構成及び動作は第１及び第２実施例と同様なので，その説明を省略する。
【００５９】  そして，第３実施例のコラムドライブ集積回路１４にはＲＳＤＳ受信部７４，メモリ７６，デコーダ７７及びＤ／Ａコンバータ７８が構成される。
【００６０】  ＲＳＤＳ受信部７４はコントローラ２０から転送されたＲＳＤＳ信号をＴＴＬ方式にてデコーディングして，コラム制御信号，Ｒ，Ｇ，Ｂデータ及びガンマデータをメモリ７６に格納させる。ここで，コラム制御信号にはシフトレジスタ制御信号Ｃ１，データラッチ制御信号Ｃ２，Ｄ／Ａコンバータ制御信号Ｃ３及びバッファ制御信号Ｃ４が含まれる。
【００６１】  メモリ７６に格納されたデータのうちの各制御信号Ｃ１，Ｃ２，Ｃ３，Ｃ４は該当部品に印加され，それによってシフトレジスタ６６，データラッチ６８，Ｄ／Ａコンバータ７０及びバッファ７２が，第１及び第２実施例と同様に動作されてコラム信号を出力する。
【００６２】  このとき，データラッチ６８で必要なＲ，Ｇ，Ｂデータはメモリで提供され，Ｄ／Ａコンバータ７０で必要な階調電圧Ｄ／Ａコンバータ７８で提供される。
【００６３】  Ｄ／Ａコンバータ７８はメモリ７６のガンマデータがデコーダ７７でデコーディングされた後，入力されるｍビットのデジタル値を持つガンマデータ値に該当するアナログ階調電圧に変換させて出力する。
【００６４】  したがって，第３実施例はコントローラ２０から転送されるＲＳＤＳ信号としてコラムドライブ集積回路１４でコラム信号を発生して液晶パネル１０に提供される。
【００６５】  このとき，コラム制御信号，Ｒ，Ｇ，Ｂデータ及びガンマデータがコントローラ２０からコラムドライブ集積回路１４にＲＳＤＳ信号で転送されるので，配線数が非常に低減できる。
【００６６】  また，第１及び第２実施例のように，第３実施例も遠距離から転送される階調電圧を適用する場合に比べて，液晶パネルに適用される階調値が正確になって高画質を具現できる。
【００６７】  以上，添付図面を参照しなガら本発明にかかる平板ディスプレイ装置の好適な実施形態について説明したが，本発明はかかる例に限定されない。当業者であれば，特許請求の範囲に記載された技術的思想の範疇内において各種の変更例または修正例に想到し得ることは明らかでありそれについても当然に本発明の技術的範囲に属するものと了解される。
【発明の効果】
【００６８】  以上，詳細に説明したように，本発明によれば，階調電圧をコントローラで生成されたガンマデータとしてコラムドライブ集積回路に転送し，コラム信号を出力するように構成することで，転送線路の数を激減し，それにより，コントロールボードの構成が容易でありながら作製単価を軽減させられる平板ディスプレイ装置を提供することができる。さらに遠距離転送でも正確な画像表現，低電力消耗，高速データ転送及び電磁波障害遮断などにも有利である。
【図面の簡単な説明】
【図１】  本発明による平板ディスプレイ装置の好適実施例を示す構成図である。
【図２】  コントローラの第１実施例を示すブロック図である。
【図３】  コラムドライブ集積回路の第１実施例を示すブロック図である。
【図４】  コントローラの第２実施例を示すブロック図である。
【図５】  コラムドライブ集積回路の第２実施例を示すブロック図である。
【図６】  Ｒ，Ｇ，Ｂデータにガンマデータが合成されて転送される波形図である。
【図７】  コントローラの第３実施例を示すブロック図である。
【図８】  コラムドライブ集積回路の第３実施例を示すブロック図である。
【符号の説明】  １０  液晶パネル
１２  スキャンドライブ集積回路
１４  コラムドライブ集積回路
１６  電源部
１８  ゲート電圧発生部
２０  コントローラ
２１，４０，６０  信号処理部
２２，４２，６２  ガンマデータ生成部
２４，４６，６６  シフトレジスタ
２６，４８，６８  データラッチ
２８，５０，７０  Ｄ／Ａコンバータ
３０，５２，７２  バッファ
３２，５６，７６  メモリ
３４，５８，７８  Ｄ／Ａコンバータ
４４  混合部
５４  データ分割部
５７，７７  デコーダ
６４  ＲＳＤＳ送信部
７４  ＲＳＤＳ受信部
【図１】
0005506124.tif 000002
【図２】
0005506124.tif 000003
【図３】
0005506124.tif 000004
【図４】
0005506124.tif 000005
【図５】
0005506124.tif 000006
【図６】
0005506124.tif 000007
【図７】
0005506124.tif 000008
【図８】
0005506124.tif 000009